(57)【要約】      （修正有）【課題】眼球に付着した鉄粉等の金属粉を自分で簡単に取り除くことが可能で、構造が簡単であると共に、眼球の角膜に対して永久磁石を正確に位置合わせすることができ、かつ、安価な眼球用金属粉除去装置を提供する。【解決手段】本発明の眼球用金属粉除去装置は、眼球対向面を有する永久磁石１１と、前記永久磁石１１の前記眼球対向面以外の部分に設けられた接続部と、前記接続部に接続された手の指で把持する把持部とからなる眼球用金属粉除去装置１０であって、前記把持部は前記眼球対向面を包み込む有底筒状の本体部材１３からなり、前記接続部は一端に前記永久磁が係合されたシャフト部材１２からなり、かつ、前記シャフト部材１２が前記本体部材１３の底部１８と交差する方向に摺動自在に接続されていることを特徴とする。【選択図】図１
2019033908.tif 000002
【特許請求の範囲】
【請求項１】
眼球対向面を有する永久磁石と、前記永久磁石の前記眼球対向面以外の部分に設けられた接続部と、前記接続部に接続された手の指で把持する把持部とからなる眼球用金属粉除去装置であって、
前記把持部は前記眼球対向面を包み込む有底筒状の本体部材からなり、
前記接続部は一端側に前記永久磁が係合されたシャフト部材からなり、かつ、
前記シャフト部材が前記本体部材の底部と交差する方向に摺動自在に接続されていることを特徴とする眼球用金属粉除去装置。
【請求項２】
前記永久磁石は前記眼球対向面が前記本体部材の開口側を向くように、前記シャフト部材の先端部に直接又は取付補助具を介して設けられていることを特徴とする請求項１に記載の眼球用金属粉除去装置。
【請求項３】
前記本体部材の開口側の形状は、眼球の周りの顔の凹凸形状に沿う形状であることを特徴とする請求項１又は２に記載の眼球用金属粉除去装置。
【請求項４】
前記シャフト部材は前記本体部材の底部を貫通して接続されていることを特徴とする請求項１〜３のいずれか１項に記載の眼球用金属粉除去装置。
【請求項５】
前記シャフト部材は前記本体部材の底部に対して揺動運動可能であることを特徴とする請求項１〜４のいずれか１項に記載の眼球用金属粉除去装置。
【請求項６】
前記シャフト部材の他端側にはつまみが設けられ、前記つまみと前記本体部材の底部との間には、前記シャフト部材を前記一端側とは反対の方向に付勢するバネ部材が設けられていることを特徴とする請求項１〜５のいずれか１項に記載の眼球用金属粉除去装置。
【請求項７】
前記つまみの前記シャフト部材における位置は、前記シャフト部材の延在方向に調整可能であることを特徴とする請求項６に記載の眼球用金属粉除去装置。
【請求項８】
前記シャフト部材は本体部材の底部に接続されたスリーブ部材を介して前記シャフト部材の延在方向に移動可能に係合されることを特徴とする請求項１〜７のいずれか１項に記載の眼球用金属粉除去装置。
【請求項９】
前記シャフトには前記シャフトの一端側からスリーブ部材に係合する拡径部が設けられていることを特徴とする請求項８に記載の眼球用金属粉除去装置。
【請求項１０】
前記拡径部の前記シャフト部材における位置は、前記シャフト部材の延在方向に調整可能であることを特徴とする請求項９に記載の眼球用金属粉除去装置。
【請求項１１】
前記永久磁石は前記接続部に対して着脱自在に装着されていることを特徴とする請求項１〜１０のいずれかに記載の眼球用金属粉除去装置。
【請求項１２】
前記永久磁石の眼球対向面には、カバー部材が着脱自在に装着されていることを特徴とする請求項１〜１１のいずれか１項に記載の眼球用金属粉除去装置。
【請求項１３】
前記カバー部材の眼球側の面には接着剤層又は粘着剤層が設けられていることを特徴とする請求項１２に記載の眼球用金属粉除去装置。
【請求項１４】
前記カバー部材の面積は前記永久磁石の眼球対向面の面積よりも大きいことを特徴とする請求項１２又は１３に記載の眼球用金属粉除去装置。
【請求項１５】
前記永久磁石の眼球対向面は、凹曲面であることを特徴とする請求項１〜１４に記載の眼球用金属粉除去装置。
【発明の詳細な説明】
【技術分野】
【０００１】
本発明は、眼球に付着した鉄粉等の金属粉を除去するための眼球用鉄粉除去装置に関する。
【背景技術】
【０００２】
金属の切削加工、研削加工、研磨加工等の金属加工の作業時には金属粉が飛散する可能性があるため従来から金属の飛散に備えて眼球を保護するために作業員はゴーグル等の眼球保護手段を装着して金属加工を行っていた。しかしながら、眼球保護手段の装着を失念している場合、僅かな金属加工を行う場合、他の作業から金属加工の作業に移行した場合等には、眼球保護手段を装着しないまま金属加工を行う場合もある。この場合には、金属加工の際に飛散した金属粉が眼球に付着する可能性がある。眼球に金属粉が付着した場合には、眼球を擦らないように留意した上で直ぐに眼科医の診察を受け、鉄粉除去の治療を受ける必要があった。
【０００３】
しかしながら、眼科医が近くにない場合や、夜間などで眼科医が診察していない場合もあり、しかも眼球から鉄粉を除去する治療は急を要することから、自分で眼球に付着した鉄粉を除去する手段が求められている。このような背景のもと、例えば特許文献１では、自分で眼球に付着した鉄粉を除去するための眼球面用の鉄粉除去具が提案されている。
【０００４】
特許文献１には、目の部分に覆い被せるシリコンゴム製のキャップ状体と、キャップ状体の底部に埋め込まれた永久磁石と、キャップ状態の底部に添着された表面に粘着剤層を設けたシートカバーとからなる器具が開示されている。眼球に鉄粉が付着した時に、この器具のキャップ状体を眼球の周りの顔面にあてがうと、キャップ状体の底部に埋め込まれた磁石の磁力により、眼球に付着した鉄粉が眼球から取り除かれ、キャップ状体の底部のシートカバーに吸い付けられることにより、眼球に付着した鉄粉を除去することができる。
【先行技術文献】
【特許文献】
【０００５】
【特許文献１】特開２００５−３１９０１７号公報
【発明の概要】
【発明が解決しようとする課題】
【０００６】
しかしながら、特許文献１では永久磁石はキャップ状体の底部に埋め込まれているため、磁石と眼球との間との距離が長く、磁力が十分に眼球まで作用しないという問題がある。永久磁石の磁力は距離の二乗に反比例するために、磁石と眼球との間の距離が長くなればなるほど、磁力は大幅に低減してしまう。一方、十分な磁力を確保しようとすると、ネオジウム磁石等の強力な磁石を必要とし、その結果として器具が高価なものとなってしまう問題がある。
【０００７】
そこで、本発明の目的は、眼球に付着した鉄粉等の金属粉を自分で簡単に取り除くことが可能で、構造が簡単であると共に、眼球の角膜に対して永久磁石を正確に位置合わせすることができ、かつ、安価な眼球用金属粉除去装置を提供することである。
【０００８】
さらに、本発明の別の目的は、簡単な構造によりシャフト部材を本体部材の底部と交差する方向に滑らかに摺動させることができる眼球用金属粉除去装置を提供することである。
【０００９】
さらに、本発明の別の目的は、眼球上の広範囲にわたって鉄粉を除去することが可能となる眼球用金属粉除去装置を提供することである。
【００１０】
さらに、本発明の別の目的は、シャフト部材を初期位置に自動的に復帰させ、使用者が自分の指でシャフト部材を初期位置まで毎回戻す必要がない眼球用金属粉除去装置を提供することである。
【００１１】
さらに、本発明の別の目的は、永久磁石の眼球対向面のリミット状態での位置を、調整することができる眼球用金属粉除去装置を提供することである。
【００１２】
さらに、本発明の別の目的は、シャフト部材を延在方向に滑らかに摺動可能であると共に、より構造を簡単にし、さらに、小形軽量化も可能な眼球用金属粉除去装置を提供することである。
【００１３】
さらに、本発明の別の目的は、シャフト部材の初期状態での位置を調整可能な眼球用金属粉除去装置を提供することである。
【００１４】
さらに、本発明の別の目的は、永久磁石を新品に交換したり、永久磁石を異なる仕様のものに交換したりすることが可能となり、また、使用し終わった永久磁石は使い捨てとすることができ、新品に付け替えることによりメンテナンスが簡単となる眼球用金属粉除去装置を提供することである。
【００１５】
さらに、本発明の別の目的は、カバー部材を交換することにより永久磁石を再利用することが可能である眼球用金属粉除去装置を提供することである。
【００１６】
さらに、本発明の別の目的は、カバー部材を交換する時に永久磁石で吸着した金属片が飛散することがなく、メンテナンスが簡単になる眼球用金属粉除去装置を提供することである。
【００１７】
さらに、本発明の別の目的は、永久磁石には金属粉が付着しにくくなるため、よりメンテナンスが簡単になる眼球用金属粉除去装置を提供することである。
【００１８】
さらに、本発明の別の目的は、より永久磁石を眼球に近づけることが可能となり、これにより磁力の弱い永久磁石の使用が可能となる眼球用金属粉除去装置を提供することである。
【課題を解決するための手段】
【００１９】
上記課題を解決するために、本発明の第１の態様の眼球用金属粉除去装置は、眼球対向面を有する永久磁石と、前記永久磁石の前記眼球対向面以外の部分に設けられた接続部と、前記接続部に接続された手の指で把持する把持部とからなる眼球用金属粉除去装置であって、前記把持部は前記眼球対向面を包み込む有底筒状の本体部材からなり、前記接続部は一端側に前記永久磁が係合されたシャフト部材からなり、かつ、前記シャフト部材が前記本体部材の底部と交差する方向に摺動自在に接続されていることを特徴とする。
【００２０】
また、第２の態様の眼球用金属粉除去装置は、第１の態様の眼球用金属粉除去装置において、前記永久磁石は前記眼球対向面が前記本体部材の開口側を向くように、前記シャフト部材の先端部に直接又は取付補助具を介して設けられていることを特徴とする。
【００２１】
また、第３の態様の眼球用金属粉除去装置は、第１または２の態様の眼球用金属粉除去装置において、前記本体部材の開口側の形状は、眼球の周りの顔の凹凸形状に沿う形状であることを特徴とする。
【００２２】
また、第４の態様の眼球用金属粉除去装置は、第１〜３のいずれかの態様の眼球用金属粉除去装置において、前記シャフト部材は前記本体部材の底部を貫通して接続されていることを特徴とする。
【００２３】
また、第５の態様の眼球用金属粉除去装置は、第１〜４のいずれかの態様の眼球用金属粉除去装置において、前記シャフト部材は前記本体部材の底部に対して揺動運動可能であることを特徴とする。  
【００２４】
また、第６の態様の眼球用金属粉除去装置は、第１〜５のいずれかの態様の眼球用金属粉除去装置において、前記シャフト部材の他端側にはつまみが設けられ、前記つまみと前記本体部材の底部との間には、前記シャフト部材を前記一端側とは反対の方向に付勢するバネ部材が設けられていることを特徴とする。
【００２５】
また、第７の態様の眼球用金属粉除去装置は、第６の態様の眼球用金属粉除去装置において、前記つまみの前記シャフト部材における位置は、前記シャフト部材の延在方向に調整可能であることを特徴とする。
【００２６】
また、第８の態様の眼球用金属粉除去装置は、第１〜第７のいずれかの態様の眼球用金属粉除去装置において、前記シャフト部材は本体部材の底部に接続されたスリーブ部材を介して前記シャフト部材の延在方向に移動可能に係合されることを特徴とする。
【００２７】
また、第９の態様の眼球用金属粉除去装置は、第８の態様の眼球用金属粉除去装置において、前記シャフトには前記シャフトの一端側からスリーブ部材に係合する拡径部が設けられていることを特徴とする。  
【００２８】
また、第１０の態様の眼球用金属粉除去装置は、第９の態様の眼球用金属粉除去装置において、前記拡径部の前記シャフト部材における位置は、前記シャフト部材の延在方向に調整可能であることを特徴とする。
【００２９】
また、第１１の態様の眼球用金属粉除去装置は、第１〜第１０のいずれかの眼球用金属粉除去装置において、前記永久磁石は前記接続部に対して着脱自在に装着されていることを特徴とする。  
【００３０】
また、第１２の態様の眼球用金属粉除去装置は、第１〜第１１のいずれかの態様の眼球用金属粉除去装置において、前記永久磁石の眼球対向面には、カバー部材が着脱自在に装着されていることを特徴とする。
【００３１】
また、第１３の態様の眼球用金属粉除去装置は、第１２の態様の眼球用金属粉除去装置において、前記カバー部材の眼球側の面には接着剤層又は粘着剤層が設けられていることを特徴とする。
【００３２】
また、第１４の態様の眼球用金属粉除去装置は、第１２又は第１３の態様の眼球用金属粉除去装置において、前記カバー部材の面積は前記永久磁石の眼球対向面の面積よりも大きいことを特徴とする。
【００３３】
また、第１５の態様の眼球用金属粉除去装置は、第１〜第１４のいずれかの態様の眼球用金属粉除去装置において、前記永久磁石の眼球対向面は、凹曲面であることを特徴とする。
【発明の効果】
【００３４】
本発明の第１の眼球用金属粉除去装置によれば、眼球に付着した鉄粉等の金属粉を自分で簡単に取り除くことが可能で、構造が簡単であり、かつ、安価な眼球用金属粉除去装置を提供することができる。永久磁石を眼球に近づけることができるため、眼球表面に永久磁石の磁力が強く作用するため、安価な磁石の使用が可能となる。また、把持部は永久磁石を包み込む有底筒状の本体部材からなるため、本体部材を片手で簡単に把持することができると共に、本体部材を眼球の周りの顔に宛がうことにより眼球の角膜に対して正確に位置合わせすることができる。
【００３５】
また、第２の態様の眼球用金属粉除去装置によれば、永久磁石の眼球対向面を確実に眼球に対向させるので眼球に付着した金属粉を適切に除去することができると共に、永久磁石をシャフト部材に対して簡単に着脱自在に装着することができる。
【００３６】
また、第３の態様の眼球用金属粉除去装置によれば、本体部材の開口側の形状は、眼球の周りの顔の凹凸形状に沿う形状であるから、顔の凹凸に合わせて前記本体部材をより正確に位置合わせすることができるため、眼球に対してより正確に永久磁石を位置合わせすることができる。
【００３７】
また、第４の態様の眼球用金属粉除去装置によれば、簡単な構造によりシャフト部材を本体部材の底部と交差する方向に滑らかに摺動させることができる。
【００３８】
また、第５の態様の眼球用金属粉除去装置によれば、シャフト部材が本体部材の底部に対して揺動運動可能でるため、永久磁石を眼球の広い面に対して対向させることができるため、眼球上の広範囲にわたって鉄粉を除去することが可能となる。
【００３９】
また、第６の態様の眼球用金属粉除去装置によれば、シャフト部材はバネ部材により永久磁石が設けられている先端部とは反対の方向に付勢されているから、本体部材を眼球の周りの顔に宛がった状態で、シャフト部材が初期位置にある状態から永久磁石と反対側からバネ部材の付勢に抗して手の指でゆっくりとつまみを押し込むことにより、眼球に対して永久磁石を三次元的に位置合わせすることができる。さらに、眼球に付着した金属粉を永久磁石で吸着して除去したところでつまみから指を離しただけで、シャフト部材は初期位置に自動的に復帰するために、使用者が自分の指でシャフト部材を初期位置まで毎回戻す必要がない。
【００４０】
また、第７の態様の眼球用金属粉除去装置によれば、永久磁石の眼球対向面のリミット状態での位置を、つまみ１６のシャフト部材長さ方向の位置によって調整することができる。
【００４１】
また、第８の態様の眼球用金属粉除去装置によれば、シャフト部材は本体部材の底部に接続されたスリーブ部材を介してシャフト部材の延在方向に滑らかに摺動可能に係合されるので、より構造を簡単にすることができ、これにより小形軽量化も可能となる。
【００４２】
また、第９の態様の眼球用金属粉除去装置によれば、シャフト部材の初期状態での位置を、拡径部のシャフト部材長さ方向の位置によって規定することができる。
【００４３】
また、第１０の態様の眼球用金属粉除去装置によれば、シャフト部材の初期状態での位置を、拡径部のシャフト部材長さ方向の位置によって、調整することができる。
【００４４】
また、第１１の態様の眼球用金属粉除去装置によれば、永久磁石は接続部に対して着脱自在に装着されているため、永久磁石を交換することができる。これにより、永久磁石を新品に交換したり、永久磁石を異なる仕様のものに交換したりすることが可能となる。安価な永久磁石を使用できるため、使用し終わった永久磁石は使い捨てとすることができ、新品に付け替えることによりメンテナンスが簡単になる。
【００４５】
また、第１２の態様の眼球用金属粉除去装置によれば、永久磁石の眼球対向面には、カバー部材が着脱自在に装着されているので、カバー部材を交換することにより永久磁石を再利用することが可能である。また、永久磁石は着脱自在であるため、カバー部材の交換が簡単にできる。
【００４６】
また、第１３の態様の眼球用金属粉除去装置によれば、カバー部材の眼球側の面には接着剤層又は粘着剤層が設けられているので、カバー部材を交換する時に永久磁石で吸着した金属片が飛散することがないので、メンテナンスが簡単になる。
【００４７】
また、第１４の態様の眼球用金属粉除去装置によれば、カバー部材の面積は永久磁石の眼球対向面の面積よりも大きいから、永久磁石で吸引した金属粉はカバー部材により収集されるため、永久磁石には金属粉が付着しにくくなるため、よりメンテナンスが簡単になる。
【００４８】
また、第１５の態様の眼球用金属粉除去装置によれば、永久磁石の眼球対向面は凹曲面であり、眼球の曲面に沿う形状とすることが可能となることから、より永久磁石を眼球に近づけることが可能となる。これにより磁力の弱い永久磁石の使用が可能となり、より安価な眼球用金属粉除去装置を提供することができる。また、永久磁石を使い捨てにする場合にも、新品の永久磁石のコストをより低減することが可能である。
【図面の簡単な説明】
【００４９】
【図１】実施形態１に係る眼球用金属粉除去装置の斜視図である。
【図２】図２Ａは図１のII−II線での断面図であり、図２Ｂは永久磁石の拡大断面図である。
【図３】図１の平面図である。
【図４】実施形態１に係る眼球用金属粉除去装置の初期状態における断面図である。
【図５】実施形態１に係る眼球用金属粉除去装置の最近接状態における断面図である。
【図６】図６Ａは実施形態２に係る眼球用金属粉除去装置の断面図であり、図６Ｂは図６Ａの永久磁石の拡大断面図である。
【発明を実施するための形態】
【００５０】
以下、図面を参照して本発明の実施形態を説明する。但し、以下に示す実施形態は、本発明の技術思想を具体化するための眼球用金属粉除去装置を例示するものであって、本発明をこれに特定することを意図するものではなく、本発明は特許請求の範囲に含まれるその他の実施形態のものにも等しく適用し得るものである。
【００５１】
［実施形態１］
図１〜５を参照して、実施形態１の眼球用金属粉除去装置を説明する。図１は実施形態１に係る眼球用金属粉除去装置の斜視図であり、図２Ａは図１のII−II線での断面図であり、図２Ｂは永久磁石の拡大断面図であり、図３は図１の平面図である。
【００５２】
図１〜３に示すように、実施形態１の眼球用金属粉除去装置１０は、眼球に付着した金属粉や金属片を吸引するための永久磁石１１と、永久磁石１１の眼球対向面２４以外の部分に設けられた接続部としてのシャフト部材１２と、シャフト部材１２に接続された手の指で把持する把持部としての本体部材１３を備えている。本体部材１３は永久磁石１１を側面側及び底面側から覆うような有底筒状の部材であり、眼球対向面２４側に開口２２有しており、底部１８と、底部から開口２２に向けて立ち上がった側部１９と、側部１９の開口２２側に設けられたリップ部２０を備えている。
【００５３】
（本体部材１３の材質）
本体部材１３は透明または半透明の材料で形成されている。本体部材１３が透明または半透明であると、本体部材１３を眼球に近づけていった時に条件反射で瞼を閉じてしまうことをより防ぐことができる。また、この材料は抗菌性を有することが望ましい。透明または半透明の材料としては樹脂材料が好ましく、例えば、ポリエチレン、ポリプロピレン、ポリエチレンテレフタレート、塩化ビニール、ポリスチレン、ＡＢＳ樹脂、アクリル、ポリアミド、ポリカーボネート、四フッ化エチレン、ポリオレフィン、ポリウレタン、シリコーン樹脂、フェノール樹脂、メラミン、不飽和ポリエステル、エポキシ等の樹脂材料が挙げられる。また、これらの樹脂に抗菌性を持たせるために、これらの樹脂に抗菌剤を添加することが望ましい。抗菌剤としては、銀錯体系抗菌剤（チオサルファイト銀錯体とシリカゲルから構成される抗菌剤）、無機系抗菌剤（銀ゼオライト、チオサルファイト銀錯体等）、有機系抗菌剤（ニトリル誘導体、イミダゾール誘導体、トリアジン誘導体、フェノールエーテル誘導体、ピロール誘導体等）等が挙げられる。シリコーン樹脂の中では例えばポリアミドシリコーン樹脂が抗菌剤の添加に適している。本体部材１３は、公知の成型法、例えば、射出成型、真空成型、真空注型、圧空成型により作成することができる。
【００５４】
（リップ部について）
リップ部２０は眼球の周りの顔の凹凸形状に合わせて成形されており、前記リップ部を眼球の周りの顔に宛がうと、前記リップ部２０の滑らかな凹凸形状が顔の凹凸形状に一致するので、永久磁石１１が眼球の角膜に対向するように本体部材１３を三次元的に位置合わせすることができる。また、前記リップ部２０の材質は、前記本体部材１３の他の部分よりも軟質な材質であることが望ましい。このような前記本体部材１３を製造するためには、前記リップ部２０を前記本体部材１３の他の部分とは別に成形しておき、両者を接合させればよい。あるいは、前記リップ部２０の部分だけを前記本体部材１３の他の部分とは異なる材料とするように二色成形してもよい。このように軟質の材質で形成された前記リップ部は、眼球の周りの顔に密着するため、永久磁石１１が眼球の角膜に対向するように本体部材１３を位置合わせすることができる。
【００５５】
次に、図１〜３を参照して、前記リップ部２０の形状を詳細に説明する。図２〜３に描かれた向きは左目用となっているので、ここでは眼球用金属粉除去装置１０を左目の周りの顔に宛がう場合について説明する。図３の紙面に対して正面から左目に向けて眼球用金属粉除去装置１０を宛がうことになる。図３に示すように、リップ部２０の形状を上から見ると左右の曲率半径が異なる楕円状となっている。また、図２に示すように、リップ部２０の左側が最も高い位置にあり、中央部に向けて凹曲面状となり、右側では左側よりも低い位置になるように再び滑らかに立ち上がっている。これは、左目よりも顔の中心側で鼻の左横に対してリップ部２０の右側が当接し、左目の目尻の左横にリップ部２０の左側が当接し、左目全体を完全に覆うように本体部材１３を左目に宛がったときに、リップ部のなめらかな凹凸形状が顔の凹凸形状と一致するようにするためである。リップ部の開口側端部は顔の凹凸形状に一致するように、外側に向かって広がるように湾曲している。また、リップ部は軟質の材質でできているために、目の周りの顔に宛がったときに、リップ部２０を顔に密着させることができるので、眼球の角膜に対して眼球用金属粉除去装置１０を正確に位置決めすることができる。また、眼球用金属粉除去装置１０を右目に宛がうときには、図２〜３の向きからシャフト部材１２を中心にして１８０°回転させた向きで使用する。
【００５６】
（本体部材の形状について）
次に、本体部材１３のリップ部以外の部位の形状について詳細に説明する。底部１８は略円形である。底部から円筒状に側壁部が立ち上がり、開口２２側では徐々にリップ部２０の形状に一致するように外側に広がっている。図３に示すように、左側の広がりが一番大きく、次に右側の広がりが大きい、上側と下側では底部１８の径と略同一の寸法となっている。また、この形状は一例であり、本体部材１３の側部及び底部の形状は手で把持しやすいものであればどのような形状であってもかまわない。底部１８の中央部にはシャフト部材１２を貫通するための貫通孔２１が設けられている。貫通孔２１の径はシャフト部材１２をなめらかに摺動可能にする程度に設定されている。
【００５７】
（シャフト部材について）
次に、接続部としてのシャフト部材１２の構造を説明する。シャフト部材１２の開口２２側の端部には永久磁石１１が設けられ、他端にはつまみ１６が設けられている。つまみ１６はシャフト部材１２よりも大径であり、後述するバネ部材１７を受けるバネ受けとして作用する。つまみ１６はシャフト部材１２と一体に形成しても、別体としてもいずれでもかまわないが、後述のように、つまみ１６のシャフト部材１２長さ方向の位置はシャフト部材１２のストロークを決定するので、つまみ１６をシャフト部材１２とは別体として、つまみ１６のシャフト部材長さ方向の位置を調整できるようにしておくことが望ましい。シャフト部材１２の永久磁石１１とつまみ１６との間の部分は、本体部材１３の底部１８の貫通孔２１と、スリーブ部材１４とに貫通している。スリーブ部材１４は円筒状の部材であり中心には貫通孔を有しており、この貫通孔にシャフト部材１２を貫通した状態で、底部１８よりも永久磁石１１側、つまり、本体部材１３の内部側に設けられている。このスリーブ部材１４は、底部１８に対して略垂直に固定されており、シャフト部材１２は底部１８と垂直方向になめらかに摺動するように配置される。
【００５８】
ここではスリーブ部材１４が本体部材１３の内側で、底部１８に固定されている例を示しているが、スリーブ部材１４は底部１８に固定されていなくともよい。スリーブ部材１４が底部１８に固定されていない場合には、スリーブ部材１４は貫通孔２１に対して揺動可能である。つまみ１６を底部１８の水平方向へ操作することによって、シャフト部材１２を貫通孔に対して揺動可能とし、シャフト部材１２の角度を底部１８に対して略垂直な状態から可変にすることができるので、永久磁石１１の位置を眼球の角膜に対して略平行な方向に調整することができる。また、スリーブ部材１４は底部１８の貫通孔２１に嵌合するように固定されていてもよい。この場合には、シャフト部材１２が直接貫通孔２１に接触することがなく、スリーブ部材１４のみに摺接することになり、シャフト部材１２はスリーブ部材１４に対してより滑らかに可動できる。さらにこの場合でも、スリーブ部材１４を貫通孔２１に対して揺動可能に篏合することができるため、シャフト部材１２を貫通孔に対して揺動可能とすることができる。
【００５９】
また、シャフト部材１２のスリーブ部材１４よりも上の位置には拡径部１５が設けられている。この拡径部１５はシャフト部材１２の他の部位よりも大径となるように設けられており、シャフト部材１２と一体に形成しても、別部材として固着しても、いずれでもよいが、後述のように拡径部１５の位置は初期状態の各部の距離関係を決定するものであるので、拡径部１５をシャフト部材１２とは別部材として設け、拡径部１５のシャフト部材１２長さ方向の位置を調整できるようにしておくことが望ましい。また、図２では拡径部１５の長さを比較的短い長さＬ１として示しているが、この長さを後述する初期状態におけるスリーブ部材１４と永久磁石１１との間の長さＬ２としてもよい。すなわち、拡径部１５の長さは、Ｌ２以下の任意の長さとすることができる。
【００６０】
底部１８の永久磁石１１とは反対側からはシャフト部材１２が延出して、その先端にはつまみ１６が設けられている。シャフト部材１２のつまみ１６と底部との間には、バネ部材１７が外嵌され、シャフト部材１２は永久磁石１１とは反対方向に付勢されている。シャフト部材は図２では、つるまきバネであるバネ部材１７の内側にシャフト部材１２が配置されるものとして示されているが、必ずしも図２のとおりの配置でなくてもよく、例えば、シャフト部材１２の周囲にその内側にシャフト部材１２が配置されるのではない態様でバネ部材１７を配置してもかまわないし、バネ部材はつるまきバネ以外の弾性部材、例えば板バネ等でもかまわない。また、つまみ１６側と本体部材１３の底部１８側の一方、または両方に適宜のバネ受けを設けてもよい。
【００６１】
図４は実施形態１に係る眼球用金属粉除去装置の初期状態における断面図である。また、図４はリップ部２０を左目の周りの顔に宛がって、眼球の角膜に対して眼球用金属粉除去装置１０を位置決めした状態であって、つまみ１６から手を離した状態を示す。ここで、Ｌ１〜Ｌ４の定義は次のとおりとする。
Ｌ１：拡径部の長さ
Ｌ２：初期状態での永久磁石１１とスリーブ部材１４との間の長さ
Ｌ３：初期状態での底部１８とつまみ１６との間の長さ
Ｌ４：永久磁石１１と眼球の角膜との初期状態での距離（より正確には永久磁石１１に取り付けられたカバー部材２５の表面と眼球の角膜との間の初期状態での距離）
ここで、「初期状態」とはつまみ１６から手を離した状態をいう。初期状態ではバネ部材１７によりシャフト部材１２が永久磁石１１とは反対方向に付勢されているので、永久磁石が眼球の角膜から最も離れた状態となる。
【００６２】
図５は、実施形態１に係る眼球用金属粉除去装置の最近接状態における断面図である。また、図５はリップ部２０を左目の周りの顔に宛がって、眼球の角膜に対して眼球用金属粉除去装置１０を位置決めした状態であって、つまみ１６を押し込んで、永久磁石１１が眼球２６に最も近づいた状態（最近接状態）を示す。ここで、Ｌ２'、Ｌ５、Ｌ６及びＬ７の定義は次のとおりとする。
Ｌ２'：最近接状態での永久磁石１１とスリーブ部材１４との間の長さ
Ｌ５ ：初期状態から最近接状態までにつまみ１６を押し込んだ距離
Ｌ６ ：最近接状態での底部１８とつまみ１６との間の長さ（バネ部材１７が最も縮まった時の長さ）
Ｌ７ ：最近接状態での永久磁石１１と眼球の角膜との距離（より正確には永久磁石１１に取り付けられたカバー部材２５の表面と眼球の角膜との間の最近接状態での距離）
ここで「最近接状態」とは、つまみ１６を押し込んで、永久磁石１１が眼球２６に最も近づいた状態を示す。
【００６３】
シャフト部材１２の初期状態での位置は、拡径部１５のシャフト部材長さ方向の位置によって決定される。シャフト部材１２は永久磁石１１と反対方向に付勢されているので、初期状態においては拡径部１５がスリーブ部材１４の端面に押し付けられて止まっている。したがって、永久磁石１１の初期位置は、拡径部１５のシャフト部材長さ方向の位置によって調整することができる。一方、最近接状態においては、バネ部材１７の付勢力に抗して手の指でつまみ１６を永久磁石１１側に押し込み、その押し込み距離がＬ５になったところで、永久磁石１１が眼球２６に最も接近する。永久磁石１１と眼球２６との距離は、手の指でつまみ１６を押し込む距離を調整することにより、Ｌ７とＬ４との間で任意に調整可能である。最接近状態よりもつまみ１６をさらに押し込もうとしても、バネ部材１７の長さがＬ６となったところで、バネ部材１７が最も縮まった長さとなるので、それ以上つまみ１６を押し込むことはできない。バネ部材１７がリミッタの作用を持つ。永久磁石１１が眼球２６に最も近づいた時の永久磁石１１と眼球２６との距離Ｌ７は、つまみ１６のシャフト部材長さ方向の位置によって調整することができる。なお、ここではバネ部材１７にリミッタの作用を持たせる例を説明したが、これに限らず、別途、シャフト部材が押し込まれすぎることを防ぐリミッタ部材を設けてもよい。
【００６４】
（永久磁石について）
永久磁石１１はシャフト部材１２の開口２２側に固定されている。永久磁石１１をシャフト部材の先端に固定する方法としては、ねじ留め、スナップ、凹凸嵌合、接着等が挙げられるところ、永久磁石１１を交換できるように着脱自在に固定することが望ましい。永久磁石１１が着脱可能であると、永久磁石１１を異なる仕様のものに交換することが可能である。また、永久磁石１１を使い捨てのものとした場合には、永久磁石１１の交換が簡単にできることが望ましい。
【００６５】
永久磁石１１の形状は例えば略円筒形状であり、図１〜３には底面側及び上面側がそれぞれ円形である略ボタン形状の永久磁石１１が示されている。このような円筒形状の磁石は量産されている形状であるため、製造コストを低減することが可能である。なお、永久磁石１１の形状は、円筒形状に限られるものではなく、どのような形状でも構わない。例えば、角柱状、楕円柱状、円錐台状等の形状も採用可能である。永久磁石１１の種類としては、フェライト磁石、ネオジウム磁石、サマリウムコバルト磁石、アルニコ磁石等が挙げられる。本実施形態の眼球用金属粉除去装置１０では、永久磁石１１を眼球に近づけることができるため、永久磁石１１の磁力が眼球に付着した金属粉又は金属片に作用しやすいため、永久磁石１１に求められる磁束密度は比較的低いため、一般によく用いられる安価なフェライト磁石の使用も可能となる。
【００６６】
永久磁石１１の眼球対向面２４の面積は、特に限定されるものではないが、眼球のより広い範囲の鉄粉を速やかに除去する観点から、眼球の角膜よりも大きい面積とすることが望ましい。
【００６７】
永久磁石１１の上面側は眼球２６に対向する眼球対向面２４となる。永久磁石１１の底面側の中央はシャフト部材１２に固定されている。永久磁石１１をねじ留めする場合には、永久磁石１１の中央にねじを貫通するためのねじ貫通孔を設けると共に、シャフト部材１２の永久磁石１１側に端面から雌ねじ孔を形成しておく。そして、雄ねじを眼球対向面２４側から永久磁石１１の貫通孔を通して、雌ねじ孔に螺合することにより、永久磁石１１をシャフト部材１２の端面にねじ留めする。
【００６８】
ここでは永久磁石１１を直接シャフト部材１２に取り付ける例を説明したが、取付補助具を介して永久磁石１１をシャフト部材１２に取り付けることもできる。取付補助具を用いることにより、永久磁石にねじ孔を設ける加工が不要となり、永久磁石１１のさらなる生産効率の向上、製造コストの低減を図ることができる。永久磁石１１の取付補助具への取り付けには、ねじ留め、スナップ、凹凸嵌合、接着等が挙げられるところ、永久磁石１１に対する加工が少ない手法が有効である。また、取付補助具をシャフト部材１２に取り付ける手段として、ねじ留め、スナップ、凹凸嵌合、接着等が挙げられるところ、着脱が容易な手段が望ましい。
【００６９】
永久磁石１１を交換する時には、取付補助具ごと永久磁石１１を交換する場合と、取付補助具は再利用し、永久磁石１１だけを交換する場合とがある。後者の場合にも、取付補助具がシャフト部材１２に対して着脱自在であることが望ましい。取付補助具をシャフト部材１２から取り外した状態で永久磁石１１を交換した方が、作業がしやすいためである。また、取付補助具の材質は、磁性金属、非磁性金属、樹脂等とすることができる。取付補助具が磁性金属である場合には、永久磁石１１はその磁力により取付補助具に装着される。取付補助具が非磁性金属である場合には、永久磁石を装着するための手段を必要とするが、例えばネオジウム磁石のように強力な磁石を用いる時に、取付補助具が磁性金属であると永久磁石１１が磁性金属製の取付補助具に強力に吸い付くために取り外しが困難となるような事態を避けることができる。
【００７０】
本実施形態の眼球用金属粉除去装置１０では、永久磁石１１として例えばフェライト磁石等の安価な種類の磁石の使用が可能であるため、永久磁石１１として使い捨てタイプのものを使用することが可能である。永久磁石１１が直接眼球に触れることはないが、眼球に近づけて使用するため、永久磁石１１の洗浄や殺菌や消毒等のメンテナンスが必要となる。後述のカバー部材２５を永久磁石１１の眼球対向面２４に取り付けて使用することにより、メンテナンスを簡単にすることができるが、それでもなお、永久磁石１１自体を長期間継続して使用する場合には、永久磁石１１自体のメンテナンスが必要となる。そこで、永久磁石１１として使い捨てタイプのものを採用すれば、永久磁石１１のメンテナンスの手間を大幅に省略することが可能となる。
【００７１】
（カバー部材について）
永久磁石１１の眼球対向面２４にはカバー部材２５を設けることが望ましい。カバー部材２５はシート状の部材であり、材質は例えば樹脂や紙等である。カバー部材２５の形状は例えば平面視円形であり、永久磁石１１と相似形であることが望ましい。カバー部材２５の面積は永久磁石１１の眼球対向面２４よりも大きく、眼球対向面２４を完全に覆うことが望ましい。カバー部材２５を永久磁石１１の眼球対向面２４に取り付ける手段としては、例えば接着剤、粘着剤等を使用することができる。カバー部材２５の永久磁石側の面には接着剤層又は粘着剤層を設けておけば、永久磁石１１の眼球対向面２４にカバー部材２５を貼り付けることができる。すなわち、カバー部材２５は例えばシールタイプとしておくことが望ましい。
【００７２】
また、カバー部材２５は交換できることが望ましい。この場合には、貼り付けた後に剥がせるタイプの接着剤又は粘着剤を使用することが望ましい。
【００７３】
カバー部材２５の表面側、すなわち、眼球側の面には、例えば接着剤層又は粘着剤層を設けておくことができる。この場合には、永久磁石１１によって吸い寄せられてカバー部材２５に付着した金属粉又は金属片をカバー部材２５上に保持しておくことができるため、カバー部材２５を交換する場合にも、金属粉又は金属片が飛散することを防止することができる。また、カバー部材２５の表面側に設けた接着剤層又は粘着剤層の上に、剥離シートを貼り付けておき、カバー部材２５を永久磁石１１に取り付けた後で、その剥離シートを剥がすようにすると、カバー部材２５の永久磁石１１への取り付けが簡単にできるようになる。
【００７４】
（金属粉について）
永久磁石１１を眼球に近づけることによって、眼球に付着した金属粉や金属片を永久磁石１１の磁力により吸引して金属粉や金属片を除去するため、除去できる金属粉及び金属片の種類は、磁石で吸引することができる磁性金属に限られる。ただし、磁性金属の種類は限定されず、実施形態１の眼球用金属粉除去装置１０は鉄、ニッケル、コバルト、又は、その合金等の磁性金属の金属粉や金属片の除去に使用できる。また、金属粉や金属片は眼球の角膜や角膜の近くに付着することが多いため、永久磁石１１を眼球の角膜に対して位置決めすることが望ましい。
【００７５】
図４及び図５を参照して、実施形態１の眼球用金属粉除去装置１０の動作を説明する。拡径部１５及びつまみ１６のシャフト部材長さ方向の位置を調整することにより、下記の（実施例１−１）及び(実施例１−２)の場合があるので、以下詳細に説明する。拡径部１５及びつまみ１６の位置を調整できるようにしておくことは、使用者の眼球の角膜の寸法、眼球の周りの顔の形状に応じた位置合わせができるため好ましい。また、両者が調整できると下記の（実施例１−１）及び（実施例１−２）の場合のいずれにも対応することができるため好ましい。しかしながら、両者の位置調整の手間を省くためには、両者のいずれか一方あるいは両者を固定としておいてもかまわない。この場合、予めさまざま寸法のものを用意しておき、その中から使用者に最適なものを選択することにより、両者の位置調整の手間を省き、かつ、使用者の使用態様に合わせることができる。
【００７６】
（実施例１−１）
Ｌ２＜Ｌ２'の場合
（１）図４のように初期状態において、本体部材１３を手で持って、左目の眼球の周りの顔にリップ部２０が密着する位置に、眼球用金属粉除去装置１０を宛がう。初期状態ではつまみから手の指を離した状態となっており、バネの反発力により、つまみは永久磁石１１とは反対方向に押され、拡径部１５がスリーブ部材１４に当たる位置までシャフト部材１２は永久磁石１１とは反対方向に押し付けられる。この時、使用者が永久磁石１１の中心方向を見ていれば、眼球の角膜に対して少し離れた距離（Ｌ４）に永久磁石１１が正確に位置合わせされる。
【００７７】
（２）この状態でつまみ１６を永久磁石１１の方向に向かって手の指で押し込んでいく。これにより、永久磁石１１が眼球２６に向かって近づいていく。この時、シャフト部材１２はスリーブ部材１４に支持されているため滑らかに動く。また、使用者はバネ部材１７の反発力に抗してつまみを押し込むため、自然とゆっくりとつまみを操作することができる。
【００７８】
（３）図５のように最近接状態において、永久磁石１１が眼球に接近した位置で、眼球に付着した金属粉又は金属片は永久磁石１１の磁力により吸引され、永久磁石１１の眼球対向面２４に吸い寄せられることによって眼球から除去される。なお、眼球に付着した金属粉又は金属片は、初期状態であっても、初期状態から最近接状態に至る途中であっても、永久磁石１１に吸い付けられていくことは明らかである。
【００７９】
金属粉又は金属片は永久磁石１１が永久磁石１１は眼球２６の角膜よりも大きいため、眼球２６における広い面積に対して金属粉又は金属片の除去を行うことができる。また、シャフト部材１２が本体部材１３の貫通孔２１に対して揺動可能である場合には、永久磁石１１の位置を眼球の角膜に対して略平行な方向に動かして調整することができる。この場合には、眼球２６のより広い範囲に永久磁石１１を近づけることができるため、眼球２６のより広い範囲に対して金属粉又は金属片の除去を行うことができる。
【００８０】
金属粉又は金属片の除去が十分に行われた後には、使用者はつまみ１６から指を離す。使用者がつまみ１６から指を離すと、つまみ１６はバネ部材１７の反発力で永久磁石１１とは反対方向に押し戻され、図４の初期状態に復帰する。使用者がつまみ１６を押し込むと底部１８とつまみ１６との間の長さＬ６は、バネ部材１７が最も縮まった時の長さで最短となり、それ以上は押し込むことがない。これにより、永久磁石１１と眼球の角膜との距離、より正確には永久磁石１１に取り付けられたカバー部材２５の表面と眼球の角膜との間の距離は、Ｌ７で制限され、それ以上永久磁石１１方向には移動しない。すなわち、バネ部材１７及びつまみ１６がリミッタの作用を持つ。
【００８１】
（４）次に、図４及び図５とはシャフト部材１２を中心に１８０°眼球用金属粉除去装置１０を回転させた状態で、左目の場合と同様に、上記（１）〜（３）と同様の手順で、右目の眼球に付着した金属粉又は金属片を除去する。なお、左目から先に金属粉又は金属片を除去する例で説明したが、右目から先に金属粉又は金属片を除去するしてもかまわないし、片目だけに対して金属粉又は金属片を除去する場合も上記（１）〜（３）と同様の手順で可能である。
【００８２】
（実施例１−２）  
Ｌ２＝Ｌ２'の場合
図４のように初期状態において、本体部材１３を手で持って、左目の眼球の周りの顔にリップ部２０が密着する位置に、眼球用金属粉除去装置１０を宛がう。この時、Ｌ２＝Ｌ２'であるので、最近接状態となり、永久磁石１１は眼球２６の角膜に対して最も近づいた状態となる。この状態で（実施例１−１）の場合と同様に、眼球２６に付着した金属粉又は金属片の除去を行う。次に、眼球用金属粉除去装置１０を顔から離せば、眼球２６からの金属粉又は金属片の除去は完了する。次に、右目についても同様に金属粉又は金属片の除去を行うことができる。なお、左目から先に金属粉又は金属片の除去をする例で説明したが、右目から先に金属粉又は金属片の除去をしてもかまわないし、片目だけについて金属粉又は金属片の除去をする場合も同様の手順で可能である。
【００８３】
この場合、つまみ１６の操作は不要であるので、少ない動作で金属粉又は金属片の除去を行うことができる。本発明の実施形態１の眼球用金属粉除去装置１０の使用に慣れた場合には、この（実施例１−２）のように拡径部１５の位置を調整しておけば、簡単に金属粉又は金属片の除去を行うことができる。また、（実施例１−２）を実施するためには、可動機構が不要となるため、シャフト部材１２が直接、本体部材１３の底部に固定されている簡単な構造の眼球用金属粉除去装置１０を用いることもできる。この場合にはスリーブ部材１４、拡径部１５、つまみ１６、又は、バネ部材１７等を省略することができるため、製造コストを低減することができる。
【００８４】
実施形態１では、金属加工の際に飛散した金属粉や金属片が眼球に付着した場合の、金属粉除去について説明したが、実施形態１の眼球用金属粉除去装置１０装置は、金属加工の際に飛散した金属粉や金属片が眼球に付着した場合だけではなく、その他の状況で眼球に異物が付着した場合にも使用可能である。例えば、コンタクトレンズの着脱時に眼球に異物が付着した場合にも、実施形態１の眼球用金属粉除去装置１０装置を用いれば、簡単に異物の除去が可能となる。また、コンタクトレンズの着用中に、目に異物が付着した際にも、実施形態１の眼球用金属粉除去装置１０装置を用いれば、簡単に異物の除去が可能となる。コンタクトレンズ着脱中、又は、着用中には眼球にコンタクトレンズが挿入されている状態であるため、異物を除去しにくい状況となるが、実施形態１の眼球用金属粉除去装置１０装置を用いれば、直接眼球やコンタクトレンズに触れることなく、簡単に金属粉等の異物を除去することが可能となる。なお、コンタクトレンズを取り外したうえで、実施形態１の眼球用金属粉除去装置１０装置を用いることもできる。
【００８５】
［実施形態２］
図６を参照して、実施形態２の眼球用金属粉除去装置１０Ａについて説明する。図１〜図５と同様の構成については、同一の符号を付して、その説明は省略する。実施形態２は実施形態１と永久磁石１１Ａの形状が異なる。
【００８６】
実施形態２の眼球用金属粉除去装置１０Ａにおける永久磁石１１Ａの眼球対向面２４は、平面視では実施形態１と同様に例えば円形であるが、図６に示すような断面から見ると、眼球側に凹の曲面状である。この眼球対向面２４Ａの凹曲面の曲率半径は、眼球の角膜の曲率半径と略一致させることが望ましく、特に限定されるものではないが、例えば約８．３ｍｍ〜９．０ｍｍ、好ましくは８．６ｍｍ〜８．７ｍｍ程度とすることができる。
【００８７】
このように、眼球対向面２４が眼球の角膜の曲率と略一致していると、永久磁石１１Ａを眼球の角膜の表面により近づけることができるため、眼球に付着した金属粉又は金属片をより永久磁石１１Ａの磁力により吸い付けることにより、より確実に金属粉又は金属片を除去することができる。すなわち、永久磁石１１Ａが眼球に付着した金属粉又は金属片に及ぼす磁力は、距離の二乗に反比例するため、永久磁石１１Ａの眼球対向面２４と眼球の表面との距離が小さければ小さいほど、永久磁石１１Ａが眼球に付着した金属粉又は金属片に及ぼす磁力が大きくなる。この結果、永久磁石１１Ａに求められる磁束密度をより小さくすることができ、使用できる磁石の種類や仕様の選択肢を増やすことができることによって、永久磁石１１Ａのコストを低減することができる。
【００８８】
永久磁石１１の眼球対向面２４以外の部分の形状は任意であり、永久磁石の底面側の形状は平面であっても、眼球対向面２４の凹曲面に対応するような凸曲面であっても構わない。
【００８９】
［実施形態３］
実施形態１又は実施形態２で説明した眼球用金属粉除去装置１０Ａは、永久磁石１１、１１Ａが着脱可能であり、他の部材との交換が可能である。そこで、実施形態１又は実施形態２で説明した眼球用金属粉除去装置１０、１０Ａの永久磁石１１を、用途に応じたコンタクトレンズを保持可能なコンタクトレンズ保持部と交換することにより、コンタクトレンズの装着、取外し、又は、着脱が可能となる。
【００９０】
コンタクトレンズ装着用のコンタクトレンズ保持部としては、例えば、コンタクトレンズ載置面側に凹となる曲面状である載置部であって、載置部のコンタクトレンズ載置面側には、複数の突起が設けられており、複数の突起はコンタクトレンズ載置面側に凸となるように設けられており、複数の突起がコンタクトレンズを支持し、複数の突起は、複数の突起群からなり、突起群は各突起が環状に配置されると共に、複数の突起群は同心円状に複数層設けられているものを用いることができる。
【００９１】
コンタクトレンズ取外し用のコンタクトレンズ保持部としては、例えば、コンタクトレンズ載置面側に凹となる吸盤部を備えるものを用いることができる。
【００９２】
また、コンタクトレンズ着脱具用のコンタクトレンズ保持部としては、例えば、コンタクトレンズ載置面側に凹となる吸盤部を備え、吸盤部のコンタクトレンズ搭載面には通気孔の一端が開口しており、通気孔の他端は外部に連通しているか、あるいは、空気室に連通しているものを用いることができる。
【００９３】
また、コンタクトレンズ保持部を眼球に近づけていった時に条件反射で瞼を閉じてしまうことをより確実に防ぐためには、コンタクトレンズ保持部の材質は透明または半透明の樹脂材料であることが望ましく、より好ましくは、半透明とすることが望ましい。透明または半透明の樹脂材料としては、例えば、ポリエチレン、ポリプロピレン、ポリエチレンテレフタレート、塩化ビニール、ポリスチレン、ＡＢＳ樹脂、アクリル、ポリアミド、ポリカーボネート、四フッ化エチレン、ポリオレフィン、ポリウレタン、シリコーン樹脂、フェノール樹脂、メラミン、不飽和ポリエステル、エポキシ等の樹脂材料が挙げられる。また、これらの樹脂に抗菌性を持たせるために、これらの樹脂に抗菌剤を添加することが望ましい。抗菌剤としては、銀錯体系抗菌剤（チオサルファイト銀錯体とシリカゲルから構成される抗菌剤）、無機系抗菌剤（銀ゼオライト、チオサルファイト銀錯体等）、有機系抗菌剤（ニトリル誘導体、イミダゾール誘導体、トリアジン誘導体、フェノールエーテル誘導体、ピロール誘導体等）等が挙げられる。シリコーン樹脂の中では例えばポリアミドシリコーン樹脂が抗菌剤の添加に適している。
【符号の説明】
【００９４】
１０    眼球用金属粉除去装置
１１    永久磁石
１２    シャフト部材
１３    本体部材
１４    スリーブ部材
１５    拡径部
１６    つまみ
１７    バネ部材
１８    底部
１９    側部
２０    リップ部
２１    貫通孔
２２    開口
２４    眼球対向面
２５    カバー部材
２６    眼球
【図１】
2019033908.tif 000003
【図２】
2019033908.tif 000004
【図３】
2019033908.tif 000005
【図４】
2019033908.tif 000006
【図５】
2019033908.tif 000007
【図６】
2019033908.tif 000008